(57)【特許請求の範囲】
【請求項１】
循環方式の空調系統が複数備えられた室内における火災時の煙を制御する煙制御システムであって、
前記空調系統は、前記室内にそれぞれ設置された排気口及び給気口と、該排気口と給気口とを接続する空調ダクトと、該空調ダクトに設置された空調ファンと、が備えられ、該空調ファンを稼動させることにより、前記排気口からの排出された室内空気が前記空調ダクト内を流通して前記給気口から前記室内に戻る構成からなり、
前記複数の空調系統のうちの第一の空調系統の前記空調ダクトには、該空調ダクト内に室外空気を流入させるための室外空気流入口と、該室外空気流入口を開閉する第一ダンパーと、が設けられ、
該第一ダンパーは、前記室外空気流入口を閉塞するとともに前記排気口側から前記給気口側へ前記室内空気を通過させる室内空気循環位置と、前記室外空気流入口よりも上流側の位置で前記空調ダクトを遮断するとともに前記室外空気流入口を開放する室外空気供給位置と、に切り替え可能であり、
前記複数の空調系統のうちの第二の空調系統の前記空調ダクトには、該空調ダクト内を流通する煙を排出するための煙排出口と、該煙排出口を開閉する第二ダンパーと、が設けられ、
該第二ダンパーは、前記煙排出口を閉塞するとともに前記排気口側から前記給気口側へ前記室内空気を通過させる室内空気循環位置と、前記煙排出口よりも下流側の位置で前記空調ダクトを遮断するとともに前記煙排出口を開放する煙排出位置と、に切り替え可能であり、
前記室外空気流入口は、前記第一の空調系統の前記空調ダクトのうちの前記空調ファンよりも上流側の位置に配設され、
前記煙排出口は、前記第二の空調系統の前記空調ダクトのうちの前記空調ファンよりも下流側の位置に配設されていることを特徴とする煙制御システム。
【請求項２】
請求項１記載の煙制御システムにおいて、
前記室外空気流入口は、前記煙排出口よりも下方の位置に配設されていることを特徴とする煙制御システム。
【発明の詳細な説明】
【技術分野】
【０００１】
本発明は、火災時における煙制御システムに関する。
【背景技術】
【０００２】
工場等の大規模空間の建物に、室内空気を循環させる循環式の空調系統が備えられているものがある。この循環式の空調系統を具体的に説明すると、例えば、天井に複数の給気口が形成されているとともに床面に複数の排気口が形成されており、天井裏の空間を給気用のダクト（天井ダクト）として、また、床下の空間を排気用のダクト（床下ダクト）としてそれぞれ利用する。そして、室外に設置された空調用ファンの吸引口と上記した床下ダクトとを、また、空調用ファンの吹出口と上記した天井ダクトとを、それぞれ連結ダクトを介して接続する。上述した構成からなる循環式の空調系統によれば、空調用ファンが稼動すると、室内の空気が床面の排気口から床下ダクトに排気され、その後、連結ダクトを介して空調用ファンの吸引口に吸引される。そして、この空調用ファンにより吸引された室内空気は、空調用ファンの吹出口から連結ダクトを介して天井ダクトに供給され、天井の給気口から室内に戻される。これにより、室内には、天井から床面に向かう下向きの気流が生じる。
【０００３】
上記した構成からなる循環式の空調系統が備えられた室内で火災が発生した場合、下向きの気流が継続されていると、室内空間の上部に煙が蓄積されにくく、室内空間全体に煙が拡散される可能性がある。また、上記した空調系統により、煙が外に排出されずに循環するため、煙の温度が上昇する場合がある。したがって、火災時における煙を制御し、在館者の火災初期での避難安全性を確保する必要がある。
【０００４】
従来、火災時における煙を制御する技術として、例えば特許文献１に示されているように、室内空間をパネルで仕切り、避難通路を確保するという技術がある。この技術では、パネルからなる仕切り壁の一部に在館者が通る出入口を形成するとともに、この出入口の上部に噴霧装置を設置して出入口にミストカーテンを形成する。これにより、避難通路への火災の拡大を防止することができる。
【特許文献１】特開２００３−１１１８５７号公報
【発明の開示】
【発明が解決しようとする課題】
【０００５】
しかしながら、上記した従来の技術では、対象の空間が大規模空間の場合、その大規模空間をパネルで仕切るのに相当の大きさのパネルを多数繰り出さなければならない。したがって、現実的に考えると、大規模空間に対して上記した従来の技術を適用することは困難である。
【０００６】
本発明は、上記した従来の問題が考慮されたものであり、在館者の避難安全性を確保することができ、且つ、大規模空間であっても簡単に適用することがきる煙制御システムを提供することを目的としている。
【課題を解決するための手段】
【０００７】
本発明に係る煙制御システムは、循環方式の空調系統が複数備えられた室内における火災時の煙を制御する煙制御システムであって、前記空調系統は、前記室内にそれぞれ設置された排気口及び給気口と、該排気口と給気口とを接続する空調ダクトと、該空調ダクトに設置された空調ファンと、が備えられ、該空調ファンを稼動させることにより、前記排気口からの排出された室内空気が前記空調ダクト内を流通して前記給気口から前記室内に戻る構成からなり、前記複数の空調系統のうちの第一の空調系統の前記空調ダクトには、該空調ダクト内に室外空気を流入させるための室外空気流入口と、該室外空気流入口を開閉する第一ダンパーと、が設けられ、該第一ダンパーは、前記室外空気流入口を閉塞するとともに前記排気口側から前記給気口側へ前記室内空気を通過させる室内空気循環位置と、前記室外空気流入口よりも上流側の位置で前記空調ダクトを遮断するとともに前記室外空気流入口を開放する室外空気供給位置と、に切り替え可能であり、前記複数の空調系統のうちの第二の空調系統の前記空調ダクトには、該空調ダクト内を流通する煙を排出するための煙排出口と、該煙排出口を開閉する第二ダンパーと、が設けられ、該第二ダンパーは、前記煙排出口を閉塞するとともに前記排気口側から前記給気口側へ前記室内空気を通過させる室内空気循環位置と、前記煙排出口よりも下流側の位置で前記空調ダクトを遮断するとともに前記煙排出口を開放する煙排出位置と、に切り替え可能であることを特徴としている。
【０００８】
このような特徴により、火災が発生していない日常時は、第一ダンパー及び第二ダンパーをそれぞれ室内空気循環位置にして複数の空調系統を運転させる。これにより、室外空気流入口及び煙排出口がそれぞれ閉塞される。そして、複数の空調系統の空調ファンを作動させることにより、排気口から室内空気が排気され、この室内空気は空調ダクトを通って空調ファンに吸引され、さらに、空調ファンから空調ダクトを通って給気口に送られ、この給気口から室内に供給される。一方、火災が発生した時は、第一ダンパーを室外空気供給位置に切り替えるとともに、第二ダンパーを煙排出位置に切り替える。第一ダンパーが室外空気供給位置に切り替えられることにより、室外空気流入口が開放されるとともに、空調ダクトが室外空気流入口の上流側の位置で遮断されるので、室外空気流入口から第一の空調系統の空調ダクト内に室外空気が流入し、この室外空気が上記空調ダクト内を流通して給気口から室内に供給される。また、第二ダンパーが煙排出位置に切り替えられることにより、煙排出口が開放されるとともに、空調ダクトが煙排出口の下流側の位置で遮断されるので、室内の煙は、排気口から第二の空調系統の空調ダクト内に流入し、この空調ダクト内を流通して煙排出口から排出される。このように、火災が発生したとき、室内に室外空気が供給されるとともに室内の煙が排出されるので、室内の煙が希釈化されて室内の煙濃度が低減される。
【０００９】
また、本発明に係る煙制御システムは、前記室外空気流入口が、前記第一の空調系統の前記空調ダクトのうちの前記空調ファンよりも上流側の位置に配設されている。
【００１０】
これにより、第一ダンパーを室外空気供給位置に切り替えたときに、第一の空調系統の空調ファンによって室外空気が吸引されて室外空気流入口から空調ダクト内に流入し、さらに給気口に送られて給気口から室内に室外空気が供給される。
【００１１】
また、本発明に係る煙制御システムは、前記煙排出口が、前記第二の空調系統の前記空調ダクトのうちの前記空調ファンよりも下流側の位置に配設されている。
【００１２】
これにより、第二ダンパーを煙排出位置に切り替えたとき、第二の空調系統の空調ファンによって室内の煙が吸引されて排気口から空調ダクト内に流入して煙排出口から排出される。
【００１３】
また、本発明に係る煙制御システムは、前記室外空気流入口が、前記煙排出口よりも下方の位置に配設されているに配設されていることが好ましい。
【００１４】
これにより、煙排出口から排出された煙は一般に上昇していくので、火災時に、煙排出口から排出された煙が室外空気流入口から再流入しにくくなる。
【００１５】
なお、本発明における「下流側」は、空調ダクト内を流通する室内空気の流通方向の下流側を意味しており、また、本発明における「上流側」は、空調ダクト内を流通する室内空気の流通方向の上流側を意味している。
【発明の効果】
【００１６】
本発明に係る煙制御システムによれば、火災が発生したとき、室内に室外空気が供給されるとともに室内の煙が排出され、室内の煙が希釈化されるので、室内における煙の拡散を防止することができ、室内の温度上昇を抑えることができる。これにより、在館者の避難安全性を確保することができる。
また、循環方式の空調系統を利用して、室内に室外空気を供給するとともに室内の煙を排出するので、大規模空間であっても火災時にける煙を簡単に制御することができる。
特に、室外空気流入口が第一の空調系統の空調ダクトのうちの空調ファンよりも上流側の位置に配設されているので、その空調ファンによって室外空気を空調ダクト内に流入させることができ、したがって室外空気を取り入れるためのファンを別途設置する必要がなく、コストダウンを図ることができる。
さらに、煙排出口が第二の空調系統の空調ダクトのうちの空調ファンよりも下流側の位置に配設されているので、その空調ファンによって室内の煙を排出することができ、したがって煙を排出するためのファンを別途設置する必要がなく、コストダウンを図ることができる。
【発明を実施するための最良の形態】
【００１７】
以下、本発明に係る煙制御システムの実施の形態について、図面に基いて説明する。
図１は本実施の形態における煙制御システム１の構成を模式的に表した図であり、図２は図１に示すＸ部分の拡大図であり、図３は図１に示すＹ部分の拡大図である。なお、図１（ａ）、図２（ａ）、図３（ａ）は、火災が発生していない日常時の状態を表しており、図１（ｂ）、図２（ｂ）、図３（ｂ）は、火災が発生した時の状態を表している。
【００１８】
図１（ａ）、図１（ｂ）に示すように、本実施の形態における煙制御システム１は、室２内における火災時の煙を制御するシステムであり、具体的には、室２に備えられた循環方式の空調系統３Ａ，３Ｂを利用して室２内に室２外の空気（室外空気Ｂ）を供給するとともに室２内の煙Ｃを排出することにより室２内の煙を希釈化するシステムである。
【００１９】
上記した空調系統３Ａ，３Ｂは、図１（ａ）に示すように、火災が発生していない日常時において、室２内の空気（室内空気Ａ）を室２外に一旦排出した後に再び室２内に戻して室内空気Ａを循環させるものである。本実施の形態では、床２１から室内空気Ａを排出するとともに、循環させた室内空気Ａを天井２０から室２内に供給しており、室２内に下向きの気流が生じている。上記した室２には、複数（図１では２つ）の循環方式の空調系統（第一の空調系統３Ａ，第二の空調系統３Ｂ）が備えられている。これら第一、第二の空調系統３Ａ，３Ｂには、排気口４と、給気口５と、空調ダクト６Ａ，６Ｂと、空調ファン７Ａ，７Ｂと、が備えられている。
【００２０】
排気口４は、室２内に設置されている。詳しく説明すると、排気口４は、室２の床２１に複数形成されており、複数の排気口４は、床２１の全体或いは一部に配設されている。
給気口５は、室２内に設置されている。詳しく説明すると、給気口５は、室２の天井２０に複数形成されており、複数の給気口５は、天井２０の全体或いは一部に配設されている。
これら排気口４と給気口５とは、空調ダクト６Ａ，６Ｂを介して接続されている。
【００２１】
空調ダクト６Ａ，６Ｂは、床下ダクト６０と、第一連結ダクト６１と、第二連結ダクト６２と、天井ダクト６３と、から構成されている。床下ダクト６０は、床下空間をダクトとして利用したものであり、床下の全体或いは一部に形成されている。また、天井ダクト６３は、天井裏空間をダクトとして利用したものであり、天井裏の全体或いは一部に形成されている。第一連結ダクト６１は、室２外に配管されており、その一端が床下空間（床下ダクト６０）に形成された排気孔６０ａに接続されており、その他端が空調ファン７Ａ，７Ｂの給気口７ａに接続されている。第二連結ダクト６２は、室２外に配管されており、その一端が空調ファン７Ａ，７Ｂの吹出口７ｂに接続されており、その他端が天井裏空間（天井ダクト６３）に形成された給気孔６３ａに接続されている。なお、第一の空調系統３Ａの第一連結ダクト６１及び第二連結ダクト６２は、公知の空調用ダクトを用いることができる。一方、第二の空調系統３Ｂの第一連結ダクト６１及び第二連結ダクト６２は、公知の空調用ダクトを用いることができるが、公知の排煙用ダクトや耐熱処理を施した空調用ダクトを用いることが好ましい。
【００２２】
また、第一の空調系統３Ａの空調ダクト６Ａには、当該空調ダクト６Ａ内に室外空気Ｂを流入させるための室外空気流入口６４が設けられている。この室外空気流入口６４は、空調ダクト６Ａに形成された開口であってもよく、或いは、空調ダクト６Ａに連通されたダクトであってもよい。室外空気流入口６４は、第一の空調系統３Ａの空調ダクト６Ａのうちの空調ファン７Ａよりも上流側の位置に配設されている。具体的に説明すると、室外空気流入口６４は、第一連結ダクト６１に設けられている。
【００２３】
また、第一の空調系統３Ａの空調ダクト６Ａには、室外空気流入口６４を開閉する空調用の第一ダンパー８が設けられている。この第一ダンパー８は、図２（ａ）に示すように、上記した室外空気流入口６４を閉塞するとともに排気口４側から給気口５側へ室内空気Ａを通過させる室内空気循環位置と、図２（ｂ）に示すように、室外空気流入口６４よりも上流側の位置で空調ダクト６Ａを遮断するとともに室外空気流入口６４を開放する室外空気供給位置と、に切り替え可能なダンパーである。具体的に説明すると、第一ダンパー８は、室外空気流入口６４に回転可能に取り付けられた扉体８０と、扉体８０を回転させる回転機構８１と、を備えている。扉体８０は、室外空気流入口６４及び第一連結ダクト６１のうちの何れか一方を閉塞する板状部材であり、その上流側（図２における下側）の端部に設けられた回転軸８０ａ周りに回転可能になっている。また、回転機構８１は、例えばモータ等の駆動機構からなり、室２内に設置された図示せぬ火災感知器に図示せぬ制御装置を介して電気的に接続されており、上記した火災感知器からの信号に基づいて自動で作動する。
【００２４】
一方、第二の空調系統３Ｂの空調ダクト６Ｂには、当該空調ダクト６Ｂ内を流通する煙Ｃを排出するための煙排出口６５が設けられている。この煙排出口６５は、空調ダクト６Ｂに形成された開口であってもよく、或いは、空調ダクト６Ｂに連通されたダクトであってもよい。煙排出口６５は、第二の空調系統３Ｂの空調ダクト６Ｂのうちの空調ファン７Ｂよりも下流側の位置に配設されている。具体的に説明すると、煙排出口６５は、第二連結ダクト６２に設けられている。
【００２５】
また、第二の空調系統３Ｂの空調ダクト６Ｂには、煙排出口６５を開閉する空調用の第二ダンパー９が設けられている。この第二ダンパー９は、図３（ａ）に示すように、煙排出口６５を閉塞するとともに排気口４側から給気口５側へ室内空気Ａを通過させる室内空気循環位置と、図３（ｂ）に示すように、煙排出口６５よりも下流側の位置で空調ダクト６Ｂを遮断するとともに煙排出口６５を開放する煙排出位置と、に切り替え可能なダンパーである。具体的に説明すると、第二ダンパー９は、煙排出口６５に回転可能に取り付けられた扉体９０と、扉体９０を回転させる回転機構９１と、を備えている。扉体９０は、煙排出口６５及び第二連結ダクト６２のうちの何れか一方を閉塞する板状部材であり、その下流側（図３における上側）の端部に設けられた回転軸９０ａ周りに回転可能になっている。また、回転機構９１は、例えばモータ等の駆動機構からなり、室２内に設置された図示せぬ火災感知器に図示せぬ制御装置を介して電気的に接続されており、上記した火災感知器からの信号に基づいて自動で作動する。
【００２６】
また、上記した室外空気流入口６４と煙排出口６５とは、互いに離れた位置に配設されている。すなわち、室外空気流入口６４は、煙排出口６５よりも下方の位置に配設されている。具体的に説明すると、室外空気流入口６４は、空調ダクト６Ａの下端部付近に配設されており、煙排出口６５は、空調ダクト６Ｂの上端部付近に配設されている。また、室外空気流入口６４は、平面視において煙排出口６５と反対方向の位置に配設されている。具体的に説明すると、室外空気流入口６４は、室２の一方側（図１における左側）に配設されており、煙排出口６５は、室２の他方側（図１における右側）に配設されている。
【００２７】
空調ファン７Ａ，７Ｂとしては、公知のファンを用いることが可能である。詳しく説明すると、第一の空調系統３Ａの空調ファン７Ａとしては、公知の空調用ファンを用いることができる。一方、第二の空調系統３Ｂとしては、公知の空調用ファンを用いることができるが、火災時の熱風に耐えられる程度の耐熱性を持った空調用ファンを選択することが好ましい。
【００２８】
次に、上記した構成からなる煙制御システムの作用について説明する。
【００２９】
火災が発生していない日常時は、図２（ａ）、図３（ａ）に示すように第一ダンパー８及び第二ダンパー９がそれぞれ室内空気循環位置になっており、室外空気流入口６４及び煙排出口６５がそれぞれ閉塞されている。すなわち、第一ダンパー８の扉体８０が室外空気流入口６４を閉塞する位置に配置されているとともに、第二ダンパー９の扉体９０が煙排出口６５を閉塞する位置に配置されている。そして、第一、第二の空調系統３Ａ，３Ｂの空調ファン７Ａ，７Ｂを作動させ、各空調系統３Ａ，３Ｂをそれぞれ運転させることにより、図１（ａ）に示すように、室２内の室内空気Ａが排気口４から排気され、この室内空気Ａは床下ダクト６０及び第一連結ダクト６１を通って第一、第二の空調系統３Ａ，３Ｂの空調ファン７Ａ，７Ｂにそれぞれ吸引される。そして、この室内空気Ａは空調ファン７Ａ，７Ｂから吹き出され、第二連結ダクト６２内及び天井ダクト６３内を通って給気口５に送られ、この給気口５から室２内に供給される。このように、第一、第二の空調系統３Ａ，３Ｂによって室内空気Ａは循環し、室２には天井２０から床２１に向かって下向きの気流が生じる。
【００３０】
一方、火災が発生すると、第一ダンパー８が室外空気供給位置に切り替えられるとともに、第二ダンパー９が煙排出位置に切り替えられる。詳しく説明すると、図示せぬ火災感知器により室２内の火災を感知すると、その火災感知器から図示せぬ制御装置に火災信号が送信され、その制御装置から第一ダンパー８及び第二ダンパー９の各回転機構８１，９１に切替信号がそれぞれ送信される。
【００３１】
第一ダンパー８の回転機構８１が上記した切替信号を受信すると、当該回転機構８１が作動し、図２（ｂ）に示すように、扉体８０が回転軸８０ａ周りに回転して第一の空調系統３Ａの第一連結ダクト６１を閉塞する位置に配置され、第一連結ダクト６１が室外空気流入口６４の上流側の位置で遮断されるとともに、室外空気流入口６４が開放される。このとき、第一の空調系統３Ａの空調ファン７Ａを稼動させたままにしておく。これにより、図１（ｂ）に示すように、室外空気流入口６４から第一の空調系統３Ａの第一連結ダクト６１内に室外空気Ｂが流入し、この室外空気Ｂが第一連結ダクト６１内を流通して空調ファン７Ａに吸引される。そして、この室外空気Ｂは空調ファン７Ａから吹き出され、第二連結ダクト６２内及び天井ダクト６３内を通って給気口５に送られ、この給気口５から室２内に供給される。
【００３２】
また、第二ダンパー９の回転機構９１が上記した切替信号を受信すると、当該回転機構９１が作動し、扉体９０が回転軸９０ａ周りに回転して第二の空調系統３Ｂの第二連結ダクト６２を閉塞する位置に配置され、第二連結ダクト６２が煙排出口６５の下流側の位置で遮断されるとともに、煙排出口６５が開放される。このとき、第二の空調系統３Ｂの空調ファン７Ｂを稼動させたままにしておく。これにより、図１（ｂ）に示すように、室２内の煙Ｃは、排気口４から床下ダクト６０内に流入し、さらに第二の空調系統３Ｂの第一連結ダクト６１内に流通して空調ファン７Ｂに吸引される。そして、この煙Ｃは、空調ファン７Ｂから吹き出され、第二連結ダクト６２内を通って煙排出口６５から排出される。」
なお、煙排出口６５から排出された煙Ｃは一般に上昇するので、煙排出口６５から排出された煙Ｃが煙排出口６５よりも下方の位置にある室外空気流入口６４付近にまで流れる可能性は低い。すなわち、一度排出された煙Ｃが室外空気流入口６４から再流入することがないようになっている。
【００３３】
このように、火災が発生したとき、室２内に室外空気Ｂが供給されるとともに室２内の煙Ｃが排出される。これにより、室２内の煙Ｃが希釈化されて室２内の煙濃度が低減される。
【００３４】
上記した構成からなる煙制御システム１によれば、火災が発生したとき、室２内に室外空気Ｂが供給されるとともに室２内の煙Ｃが排出され、室２内の煙Ｃが希釈化されるので、室２内における煙Ｃの拡散を防止することができ、室２内の温度上昇を抑えることができる。これにより、火災時における在館者の避難安全性を確保することができる。
また、循環方式の空調系統３Ａ，３Ｂを利用して、室２内に室外空気Ｂを供給するとともに室２内の煙Ｃを排出するので、室２が大規模空間であっても火災時にける煙Ｃを簡単に制御することができる。
【００３５】
また、上記した構成からなる煙制御システム１によれば、室外空気流入口６４が第一の空調系統３Ａの空調ダクト６Ａのうちの空調ファン７Ａよりも上流側の位置に配設されており、上記した空調ファン７Ａによって室外空気Ｂが空調ダクト６Ａ内に流入させられるので、室外空気Ｂを取り入れるためのファンを別途設置する必要がなく、コストダウンを図ることができる。
【００３６】
また、上記した構成からなる煙制御システム１によれば、煙排出口６５が第二の空調系統３Ｂの空調ダクト６Ｂのうちの空調ファン７Ｂよりも下流側の位置に配設されており、上記した空調ファン７Ｂによって室２内の煙Ｃが排出されるので、煙Ｃを排出するためのファンを別途設置する必要がなく、コストダウンを図ることができる。
【００３７】
また、上記した構成からなる煙制御システム１によれば、室外空気流入口６４が煙排出口６５よりも下方の位置に配設されており、煙排出口６５から排出された煙Ｃが室外空気流入口６４から再流入しにくくなっているため、室２内における煙Ｃの希釈化を効率良く行うことができる。
【００３８】
以上、本発明に係る煙制御システムの実施の形態について説明したが、本発明は上記した実施の形態に限定されるものではなく、その趣旨を逸脱しない範囲で適宜変更可能である。
例えば、上記した実施の形態では、２つの空調系統３Ａ，３Ｂが備えられているが、本発明は、３つ以上の空調系統が備えられていてもよい。この場合、複数の空調系統の中に、第一ダンパー８や第二ダンパー９が設けられていない空調系統があってもよい。
【００３９】
また、上記した実施の形態では、第一ダンパー８及び第二ダンパー９が、扉体８０，９０と、この扉体８０，９０を回転軸８０ａ周りに回転させる回転機構８１，９１と、から構成されているが、本発明は、他の構成からなる第一ダンパーや第二ダンパーが備えられていてもよい。例えば、図４に示すように、扉体１８０，１９０がスライドして開閉する構成の第一ダンパー１０８や第二ダンパー１０９であってもよい。また、図５に示すように、室外空気流入口６４や煙排出口６５を閉塞する第一の扉体２８０Ａ，２９０Ａが設置されるとともに、空調ダクト６Ａ，６Ｂを閉塞する第二の扉体２８０Ｂ，２９０Ｂが設置された構成の第一ダンパー２０８や第二ダンパー２０９であってもよい。さらに、図６、図７に示すように、周壁部に開口３８０ａ，３９０ａが開けられた軸回転可能な円筒体３８０，３９０が空調ダクト６Ａ，６Ｂ内に収容され、この円筒体３８０，３９０を軸回転させることで切り替えが行われる第一ダンパー３０８や第二ダンパー３０９であってもよい。
【００４０】
また、上記した実施の形態では、排気口４が床２１に形成され、給気口５が天井２０に形成されており、室２内に下向きの気流が生じる構成になっているが、本発明は、下降流の場合に限定されるものではない。例えば、床２１に給気口５が形成され、天井２０に排気口４が形成され、室２内に上向きの気流が生じる構成であってもよい。また、室２の壁面に排気口４や給気口５が形成され、室２内に水平方向の気流が生じる構成であってもよい。さらに、排気口４や給気口５の設置位置は適宜変更可能であり、室２内に乱気流が生じる構成であってもよい。
【００４１】
また、上記した実施の形態では、第一ダンパー８及び第二ダンパー９は、図示せぬ火災感知器の信号に基づいて自動で切り替えられる構成になっているが、本発明は、第一ダンパー８及び第二ダンパー９が、手動で切り替えられるものであってもよい。
【００４４】
また、上記した実施の形態では、室外空気流入口６４が煙排出口６５よりも下方の位置に配設されているが、本発明は、例えば、平面視において室外空気流入口６４と煙排出口６５との距離が十分に離間している場合は、煙Ｃの再流入の可能性も低くなるので、室外空気流入口６４を煙排出口６５と同等の高さ位置に配設することも可能であり、また、室外空気流入口６４を煙排出口６５よりも上方の位置に配設することも可能である。
【００４５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４６】
【図１】本発明の実施の形態を説明するための煙制御システム１を模式的に表した断面図である。
【図２】図１に示すＸ部分を拡大した図であり、第一ダンパーを表した断面図である。
【図３】図１に示すＹ部分を拡大した図であり、第二ダンパーを表した断面図である。
【図４】本発明の他の実施の形態を説明するための図であり、（ａ）は第一ダンパーを表した断面図であり、（ｂ）は第二ダンパーを表した断面図である。
【図５】本発明の他の実施の形態を説明するための図であり、（ａ）は第一ダンパーを表した断面図であり、（ｂ）は第二ダンパーを表した断面図である。
【図６】本発明の他の実施の形態を説明するための第一ダンパーを表した断面図である。
【図７】本発明の他の実施の形態を説明するための第二ダンパーを表した断面図である。
【符号の説明】
【００４７】
１  煙制御システム
２  室
３Ａ  第一の空調系統
３Ｂ  第二の空調系統
４  排気口
５  給気口
６Ａ、６Ｂ  空調ダクト
６４  室外空気流入口
６５  煙排出口
７Ａ、７Ｂ  空調ファン
８、１０８、２０８、３０８  第一ダンパー
９、１０９、２０９、３０９  第二ダンパー
【図１】
0004936181.tif 000002
【図２】
0004936181.tif 000003
【図３】
0004936181.tif 000004
【図４】
0004936181.tif 000005
【図５】
0004936181.tif 000006
【図６】
0004936181.tif 000007
【図７】
0004936181.tif 000008